【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】輪転印刷機
【手続補正２】
【補正対象書類名】明細書
【補正対象項目名】特許請求の範囲
【補正方法】変更
【補正の内容】
【特許請求の範囲】
【請求項１】  ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、
該紙継装置下流側に設けられ、該ウェブを紙押えローラとで挟んで該ウェブに接した状態で回転駆動して該ウェブを下流側へ搬送するクーリングドラグと、
該ウェブの該糊付部分が該クーリングドラグと該紙押えローラとの間のニップ部を通過する際に該クーリングドラグの周速度を定常時の周速度から変えるように制御する制御装置とをそなえている
ことを特徴とする輪転印刷機。
【請求項２】  該制御装置は、
該ウェブの該糊付部分が該クーリングドラグと該紙押えローラとの間のニップ部を通過する際に、該クーリングドラグの周速度と該ウェブの走行速度との速度差が、該ウェブの紙種又は定常時の該ウェブ張力に基づいて予め設定された所定の速度差になるように該クーリングドラグの周速度を制御する
ことを特徴とする、請求項１記載の輪転印刷機。
【請求項３】  該制御装置は、
該ウェブの該糊付けが行なわれてから該糊付部分が該クーリングドラグと該紙押えローラとの間のニップ部に突入するまでの第１所定時間が経過した後、該クーリングドラグの周速度を定常時よりも上げる
ことを特徴とする、請求項１又は２記載の輪転印刷機。
【請求項４】  該制御装置は、
該ウェブの該糊付部分が該ニップ部へ突入してから第２所定時間が経過したら、該クーリングドラグの周速度を該定常時の周速度へと切り替える
ことを特徴とする、請求項１〜３の何れか１項に記載の輪転印刷機。
【請求項５】  ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、
該紙継装置下流側に設けられ、該ウェブを紙押えローラとで挟んで該ウェブに接した状態で回転駆動して該ウェブを下流側へ搬送するクーリングドラグと、
該クーリングドラグ下流側に設けられ、該ウェブに接した状態で該ウェブ面に対して垂直方向に移動可能なコンペンセータローラと、
該ウェブの該糊付部分が該クーリングドラグと該紙押えローラとの間のニップ部を通過する際に該コンペンセータローラを定常位置から移動させるように制御する制御装置とをそなえている
ことを特徴とする輪転印刷機。
【請求項６】  該制御装置は、
該ウェブの該糊付部分が該クーリングドラグと該紙押えローラとの間のニップ部を通過する際に、該ウェブの紙種又は定常時の該ウェブ張力から予め設定された所定の移動量になるように該コンペンセータローラを制御する
ことを特徴とする、請求項５記載の輪転印刷機。
【請求項７】  該制御装置は、
該ウェブの該糊付けが行なわれてから該糊付部分が該クーリングドラグと該紙押えローラとの間のニップ部に突入するまでの第１所定時間が経過した後、該コンペンセータローラを該ウェブが緩む方向に移動させる
ことを特徴とする、請求項５又は６記載の輪転印刷機。
【請求項８】  該制御装置は、
該ウェブの該糊付部分が該ニップ部へ突入してから第２所定時間が経過したら、該コンペンセータローラの位置を該定常位置へと切り替える
ことを特徴とする、請求項５〜７の何れか１項に記載の輪転印刷機。
【請求項９】  ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、
該紙継装置下流側に設けられ、該ウェブを紙押えローラとで挟んで該ウェブに接した状態で回転駆動して該ウェブを下流側へ搬送するクーリングドラグと、
該クーリングドラグ下流側に設けられ、該ウェブに接した状態で回転駆動して該ウェブを折機へ搬送するウェブパスドラグと、
該ウェブの該糊付部分が該クーリングドラグと該紙押えローラとの間のニップ部を通過する際に該ウェブパスドラグの周速度を定常時の周速度から変えるように制御する制御装置とをそなえていることを特徴とする輪転印刷機。
【請求項１０】  該制御装置は、
該ウェブの該糊付部分が該クーリングドラグと該紙押えローラとの間のニップ部を通過する際に、該ウェブパスドラグの周速度と該ウェブの走行速度との速度差が、該ウェブの紙種又は定常時の該ウェブ張力から予め設定された所定の速度差になるように該ウェブパスドラグの周速度を制御する
ことを特徴とする、請求項９記載の輪転印刷機。
【請求項１１】  該制御装置は、
該ウェブの該糊付けが行なわれてから該糊付部分が該クーリングドラグと該紙押えローラとの間のニップ部に突入するまでの第１所定時間が経過した後、該ウェブパスドラグの周速度を定常時よりも下げる
ことを特徴とする、請求項９又は１０記載の輪転印刷機。
【請求項１２】  該制御装置は、
該ウェブの該糊付部分が該ニップ部へ突入してから第２所定時間が経過したら、該ウェブパスドラグの周速度を該定常時の周速度へと切り替える
ことを特徴とする、請求項９〜１１の何れか１項に記載の輪転印刷機。
【手続補正３】
【補正対象書類名】明細書
【補正対象項目名】０００１
【補正方法】変更
【補正の内容】
【０００１】
【発明の属する技術分野】
本発明は、ウェブの紙継に伴う張力変動を抑制するのに用いて好適の、輪転印刷機に関する。
【手続補正４】
【補正対象書類名】明細書
【補正対象項目名】０００８
【補正方法】変更
【補正の内容】
【０００８】
本発明は、このような課題に鑑み創案されたもので、ウェブの紙継に伴う張力変動を制御して断裁ずれを抑制できるようにした、輪転印刷機を提供することを目的とする。
【手続補正５】
【補正対象書類名】明細書
【補正対象項目名】０００９
【補正方法】変更
【補正の内容】
【０００９】
【課題を解決するための手段】
このため、本発明の輪転印刷機（請求項１）は、ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、該紙継装置下流側に設けられ、該ウェブを紙押えローラとで挟んで該ウェブに接した状態で回転駆動して該ウェブを下流側へ搬送するクーリングドラグと、該ウェブの該糊付部分が該クーリングドラグと該紙押えローラとの間のニップ部を通過する際に該クーリングドラグの周速度を定常時の周速度から変えるように制御する制御装置とをそなえていることを特徴としている。
【手続補正６】
【補正対象書類名】明細書
【補正対象項目名】００１１
【補正方法】変更
【補正の内容】
【００１１】
該制御装置は、該ウェブの該糊付けが行なわれてから該糊付部分が該クーリングドラグと該紙押えローラとの間のニップ部に突入するまでの第１所定時間が経過した後、該クーリングドラグの周速度を定常時よりも上げることが好ましい（請求項３）。
また、該制御装置が、該ウェブの該糊付部分が該ニップ部へ突入してから第２所定時間が経過したら、該クーリングドラグの周速度を該定常時の周速度へと切り替えることが好ましい（請求項４）。
【手続補正７】
【補正対象書類名】明細書
【補正対象項目名】００１２
【補正方法】変更
【補正の内容】
【００１２】
本発明の輪転印刷機（請求項５）は、ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、該紙継装置下流側に設けられ、該ウェブを紙押えローラとで挟んで該ウェブに接した状態で回転駆動して該ウェブを下流側へ搬送するクーリングドラグと、該クーリングドラグ下流側に設けられ、該ウェブに接した状態で該ウェブ面に対して垂直方向に移動可能なコンペンセータローラと、該ウェブの該糊付部分が該クーリングドラグと該紙押えローラとの間のニップ部を通過する際に該コンペンセータローラを定常位置から移動させるように制御する制御装置とをそなえていることを特徴としている。
【手続補正８】
【補正対象書類名】明細書
【補正対象項目名】００１３
【補正方法】変更
【補正の内容】
【００１３】
該制御装置は、該ウェブの該糊付部分が該クーリングドラグと該紙押えローラとの間のニップ部を通過する際に、該ウェブの紙種又は定常時の該ウェブ張力から予め設定された所定の移動量になるように該コンペンセータローラを制御することが好ましい（請求項６）。
該制御装置は、該ウェブの該糊付けが行なわれてから該糊付部分が該クーリングドラグと該紙押えローラとの間のニップ部に突入するまでの第１所定時間が経過した後、該コンペンセータローラを該ウェブが緩む方向に移動させることが好ましい（請求項７）。
また、該制御装置が、該ウェブの該糊付部分が該ニップ部へ突入してから第２所定時間が経過したら、該コンペンセータローラの位置を該定常位置へと切り替えることが好ましい（請求項８）。
【手続補正９】
【補正対象書類名】明細書
【補正対象項目名】００１４
【補正方法】変更
【補正の内容】
【００１４】
本発明の輪転印刷機（請求項９）は、ウェブロールから装置下流側へ繰り出されるウェブを新しいウェブロールの始端部に糊付けするとともに、該ウェブの糊付位置の上流側を切断して該ウェブロールから該新しいウェブロールへ紙継を行なう紙継装置と、該ウェブに印刷を施す印刷ユニットと、該ウェブを断裁し折り込んで折帖とする折機と、を備えた輪転印刷機において、該紙継装置下流側に設けられ、該ウェブを紙押えローラとで挟んで該ウェブに接した状態で回転駆動して該ウェブを下流側へ搬送するクーリングドラグと、該クーリングドラグ下流側に設けられ、該ウェブに接した状態で回転駆動して該ウェブを折機へ搬送するウェブパスドラグと、該ウェブの該糊付部分が該クーリングドラグと該紙押えローラとの間のニップ部を通過する際に該ウェブパスドラグの周速度を定常時の周速度から変えるように制御する制御装置とをそなえていることを特徴としている。
【手続補正１０】
【補正対象書類名】明細書
【補正対象項目名】００１５
【補正方法】変更
【補正の内容】
【００１５】
該制御装置は、該ウェブの該糊付部分が該クーリングドラグと該紙押えローラとの間のニップ部を通過する際に、該ウェブパスドラグの周速度と該ウェブの走行速度との速度差が、該ウェブの紙種又は定常時の該ウェブ張力から予め設定された所定の速度差になるように該ウェブパスドラグの周速度を制御することが好ましい（請求項１０）。
【手続補正１１】
【補正対象書類名】明細書
【補正対象項目名】００１６
【補正方法】変更
【補正の内容】
【００１６】
該制御装置は、該ウェブの該糊付けが行なわれてから該糊付部分が該クーリングドラグと該紙押えローラとの間のニップ部に突入するまでの第１所定時間が経過した後、該ウェブパスドラグの周速度を定常時よりも下げることが好ましい（請求項１１）。
また、該制御装置が、該ウェブの該糊付部分が該ニップ部へ突入してから第２所定時間が経過したら、該ウェブパスドラグの周速度を該定常時の周速度へと切り替えることが好ましい（請求項１２）。
【手続補正１２】
【補正対象書類名】明細書
【補正対象項目名】００４０
【補正方法】変更
【補正の内容】
【００４０】
【発明の効果】
以上詳述したように、請求項１記載の本発明の輪転印刷機によれば、制御装置が、ウェブの糊付部分がクーリングドラグと紙押えローラとの間のニップ部を通過する際に、クーリングドラグの周速度を定常時の周速度から変えるように制御するので、ウェブの張力変動を抑制できる。これにより、断裁ずれを抑制でき、損紙を低減できる。
【手続補正１３】
【補正対象書類名】明細書
【補正対象項目名】００４１
【補正方法】変更
【補正の内容】
【００４１】
請求項２記載の本発明の輪転印刷機によれば、ウェブの糊付部分がクーリングドラグと紙押えローラとの間のニップ部を通過する際に、制御装置が、クーリングドラグの周速度とウェブの走行速度の速度差がウェブの紙種又は定常時のウェブ張力から予め設定された所定の速度差になるようにクーリングドラグの周速度を制御するので、ウェブの紙種又は定常時のウェブ張力に応じた制御が可能である。
【手続補正１４】
【補正対象書類名】明細書
【補正対象項目名】００４２
【補正方法】変更
【補正の内容】
【００４２】
請求項３記載の本発明の輪転印刷機によれば、制御装置が、ウェブの糊付けが行なわれてから糊付部分がクーリングドラグと紙押えローラとの間のニップ部に突入するまでの第１所定時間が経過した後、クーリングドラグの周速度を定常時よりも上げるので、ウェブの糊付け部分がクーリングドラグと紙押えローラとの間のニップ部を通過する際にクーリングドラグ下流側においてウェブの張力が増大するのを抑制できる。これにより、断裁ずれを抑制でき、損紙を低減できる。
なお、請求項４記載の本発明の輪転印刷機によれば、ウェブの糊付部分がニップ部へ突入してから第２所定時間が経過したら、クーリングドラグの周速度を定常時の周速度へと切り替えるので、通常の運転に戻ることができる。
【手続補正１５】
【補正対象書類名】明細書
【補正対象項目名】００４３
【補正方法】変更
【補正の内容】
【００４３】
請求項５記載の本発明の輪転印刷機によれば、制御装置が、ウェブの糊付部分がクーリングドラグと紙押えローラとの間のニップ部を通過する際に、コンペンセータローラを定常位置から移動させるように制御するので、ウェブの張力変動を抑制できる。これにより、断裁ずれを抑制でき、損紙を低減できる。
【手続補正１６】
【補正対象書類名】明細書
【補正対象項目名】００４４
【補正方法】変更
【補正の内容】
【００４４】
請求項６記載の本発明の輪転印刷機によれば、ウェブの糊付部分がクーリングドラグと紙押えローラとの間のニップ部を通過する際に、制御装置がウェブの紙種又は定常時のウェブ張力から予め設定された所定の移動量になるようにコンペンセータローラを制御するので、ウェブの紙種又は定常時のウェブ張力に応じた制御が可能である。
【手続補正１７】
【補正対象書類名】明細書
【補正対象項目名】００４５
【補正方法】変更
【補正の内容】
【００４５】
請求項７記載の本発明の輪転印刷機によれば、制御装置が、ウェブの糊付けが行なわれてから糊付部分がクーリングドラグと紙押えローラとの間のニップ部に突入するまでの第１所定時間が経過した後、コンペンセータローラをウェブが緩む方向に移動させるので、ウェブの糊付け部分がクーリングドラグと紙押えローラとの間のニップ部を通過する際にクーリングドラグ下流側においてウェブの張力が増大するのを抑制できる。これにより、断裁ずれを抑制でき、損紙を低減できる。
なお、請求項８記載の本発明の輪転印刷機によれば、ウェブの糊付部分がニップ部へ突入してから第２所定時間が経過したら、コンペンセータローラの位置を定常位置へと切り替えるので、通常の運転に戻ることができる。
【手続補正１８】
【補正対象書類名】明細書
【補正対象項目名】００４６
【補正方法】変更
【補正の内容】
【００４６】
請求項９記載の本発明の輪転印刷機によれば、制御装置が、ウェブの糊付部分がクーリングドラグと紙押えローラとの間のニップ部を通過する際に、ウェブパスドラグの周速度を定常時の周速度から変えるように制御するので、ウェブの張力変動を抑制できる。これにより、断裁ずれを抑制でき、損紙を低減できる。
【手続補正１９】
【補正対象書類名】明細書
【補正対象項目名】００４７
【補正方法】変更
【補正の内容】
【００４７】
請求項１０記載の本発明の輪転印刷機によれば、ウェブの糊付部分がクーリングドラグと紙押えローラとの間のニップ部を通過する際に、制御装置が、ウェブパスドラグの周速度とウェブの走行速度との速度差がウェブの紙種又は定常時のウェブ張力から予め設定された所定の速度になるようにウェブパスドラグを制御するので、ウェブの紙種又は定常時のウェブ張力に応じた制御が可能である。
【手続補正２０】
【補正対象書類名】明細書
【補正対象項目名】００４８
【補正方法】変更
【補正の内容】
【００４８】
請求項１１記載の本発明の輪転印刷機によれば、制御装置が、ウェブの糊付けが行なわれてから糊付部分がクーリングドラグと紙押えローラとの間のニップ部に突入するまでの第１所定時間が経過した後、ウェブパスドラグの周速度を定常時よりも下げるので、ウェブの糊付け部分がクーリングドラグと紙押えローラとの間のニップ部を通過する際にウェブパスドラグ下流側においてウェブの張力が増大するのを抑制できる。これにより、断裁ずれを抑制でき、損紙を低減できる。
なお、請求項１２記載の本発明の輪転印刷機によれば、ウェブの糊付部分がニップ部へ突入してから第２所定時間が経過したら、ウェブパスドラグの周速度を定常時の周速度へと切り替えるので、通常の運転に戻ることができる。